(57)【要約】【課題】炒り玉子を作る時は、菜箸を複数本使用するのが主流だが菜箸が太く、又、複数の菜箸の先端がくっつき、時間もかかりきれいに細かく作ることが出来なかった。【解決手段】持ち手を介して、持ち手の先端から複数本の線材を放射状に形成し、線材の先端を折り曲げて、折り曲げた部分を線材に密着させる事と、又、放射状に形成した複数本の線材とクロスさせた線材を固定して複数本の線材の先端広がり角度を保持する事により調理器具の中で玉子をかき混ぜることが容易となり、炒り玉子を簡単に、細かく、きれいに作る事が出来るようにした炒り玉子の簡単便利器を提供する。【選択図】図１
2011218126.tif 000002
【特許請求の範囲】
【請求項１】
持ち手の先端部に複数本の線材を放射状に形成し、線材の先端部分を折り曲げて線材に密着させた炒り玉子簡単便利器。
【請求項２】
持ち手の先端部に複数本の線材を放射状に形成し、線材の先端部分を折り曲げ、ねじって線材に巻き付けながら密着させた炒り玉子簡単便利器。
【請求項３】
持ち手の先端部に複数本の線材を放射状に形成し、線材の先端部分を折り曲げて線材に密着させ、さらに、線材の先端部分をＶ字型に折り曲げた炒り玉子簡単便利器。
【請求項４】
持ち手の先端部に複数本の線材を放射状に形成し、線材の先端部分を折り曲げて線材に密着させ、さらに、線材の先端部分をＮ字型に折り曲げた炒り玉子簡単便利器。
【請求項５】
放射状に形成した複数本の線材とクロスさせた線材を固定させることにより、複数本の線材の先端広がり角度を固定した炒り玉子簡単便利器。
【請求項６】
放射状に形成した複数本の線材に長短を付ける事により、調理器具に触れる時に一定の傾斜角を有する炒り玉子簡単便利器。
【請求項７】
持ち手に吊り下げ具を取付けたり、マグネットで壁面等に貼り付けられるようにした収納便利な、炒り玉子単便利器。
【発明の詳細な説明】
【技術分野】
【０００１】本発明は、炒り玉子を作る簡単便利器に関するものである。
【背景技術】
【０００２】従来は、炒り玉子を作る時は、菜箸を複数本使用するのが主流だが菜箸が太く、又、複数の菜箸の先端がくっつき、時間もかかりきれいに細かく作ることが出来なかった。
【発明の概要】
【発明が解決しようとする課題】
【０００３】解決しようとする問題点は、炒り玉子を作る時、菜箸を複数本使用するのが主流だが菜箸が太く、又、複数の菜箸の先端がくっつき、時間もかかりきれいに細かく作ることができなかった。
本発明は、これらのような欠点をなくすためになされた。
【課題を解決するための手段】
【０００４】本発明は、持ち手を介して、持ち手の先端から複数本の線材を放射状に出し線材の先端部分を折り曲げ線材に密着させる事と、複数本の線材の広がり角度を保持するためにクロスさせた線材を固定させる事により、炒り玉子を簡単に、細かく、きれいに作る事が出来るようにした炒り玉子の簡単便利器を提供する。
【発明の効果】
【０００５】持ち手を介して、持ち手の先端から複数本の線材を、放射状に出し線材の先端部分を折り曲げ、曲げた部分を線材に密着させる事で、折り曲げた線材の先端が丸くなる。この線材の先端の丸い部分がかき混ぜ器となり、フライパン等を傷つける事なく、炒り玉子を簡単に、細かく、きれいに作る事が出来る。【０００６】また、複数の線材とクロスさせた線材の固定により、線材の先端の広がり角度も固定されてフライパン等の中で玉子を混ぜることが容易になり調理の作業性が良好となる。【０００７】本発明の炒り玉子の簡単便利器は、炒り玉子の他に、かき玉汁、玉子溶き、そぼろ等、食品をほぐす際に使用できるので便利である。
【図面の簡単な説明】
【０００８】
【図１】全体の斜視図  （実施例１の形状）
【図２】全体の斜視図  （実施例２の形状）
【図３】全体の斜視図  （実施例３の形状）
【図４】全体の斜視図  （実施例４の形状）
【図５】線材１の先端の拡大図  （実施例１、２、３、４の形状）
【発明を実施するための形態】
【０００９】以下、本発明の実施の形態に基づいて説明する
【実施例１】図１に基づいて実施例１を説明する。【００１０】長さの異なる複数本の第１の線材（図１の１）を持ち手（図１の２）の先端部（図１の２ａ）から、放射状に任意の広がりと傾斜角を有するように形成したものである。【００１１】第１の線材（図１の１）の先端部を折り曲げ、曲げた部分を線材に密着させる。これにより、調理器具に触れる第１の線材の先端部（図１の１ａ）が丸くなり、調理器具を傷つける事がない。【００１２】複数本の第１の線材（図１の１）の広がり角度を等間隔に保持するために、複数本の第１の線材（図１の１）とクロスする様に第２の線材（図１の３）を介して複数の第１の線材（図１の１）を等間隔に固定する。【００１３】さらに、複数本の第１の線材（図１の１）に長短を付け、調理器具に触れる時に一定の傾斜角を持たす事により、手の動きが容易となるので調理時の作業性を改善することが可能である。【００１４】持ち手（図１の２）の素材や、形状は特に限定するものではなく、複数本の第１の線材（図１の１）を保持できるものであればよい。【００１５】第２の線材（図１の３）の位置や本数は特に限定するものではなく、複数本の第１の線材（図１の１）の広がり角度によって決まるものである。【００１６】また、第２の線材（図１の３）の材質も特に限定するものではなく、複数本の第１の線材（図１の１）と第２の線材（図１の３）との固定方法（結束、溶接）によって決まるものである。【００１７】さらに、持ち手（図１の２）に吊り下げ具（図１の４）を取付けて壁面等に掛けたり、マグネット等を用いて壁面等に貼り付けるようにしておけば収納する際に便利である。
【実施例２】図２に基づいて実施例２を説明する。【００１８】同じ長さの複数本の第１の線材（図２の１）を持ち手（図２の２）の先端部（図２の２ａ）から、放射状に任意の広がりを有するように形成する。【００１９】複数本の第１の線材（図２の１）の先端部を折り曲げ、ねじって線材に巻き付けながら密着させる。これにより、調理器具に触れる第１の線材の先端部（（図２の１ｂ）が丸くなり、調理器具を傷つける事がない。【００２０】実施例１と同様に、複数本の第１の線材（図２の１）の広がり角度を等間隔に保持するために、複数本の第１の線材（図２の１）とクロスする様に第２の線材（図２の３）を介して複数の第１の線材（図２の１）を等間隔に固定する。
【実施例３】図３に基づいて実施例３を説明する。【００２１】実施例２と同様に、複数本の第１の線材（図３の１）を持ち手（図３の２）の先端部（図３の２ａ）から、放射状に任意の広がりを有するように形成する。【００２２】実施例１と同様に、第１の線材（図３の１）の先端部を折り曲げ、曲げた部分を線材に密着させる。【００２３】次に、複数本の第１の線材（図３の１）の先端部をＶ字型に曲げる。これにより、調理器具に触れる第１の線材の先端部（（図３の１ｃ）が丸くなり、調理器具を傷つける事がない。
【実施例４】図４に基づいて実施例３を説明する。【００２４】実施例２と同様に、複数本の第１の線材（図４の１）を持ち手（図４の２）の先端部（図４の２ａ）から、放射状に任意の広がりを有するように形成する。【００２５】実施例１と同様に、第１の線材（図４の１）の先端部を折り曲げ、曲げた部分を線材に密着させる。【００２６】次に、複数本の第１の線材（図４の１）の先端部をＮ字型に曲げる。これにより、調理器具に触れる第１の線材の先端部（図４の１ｄ）が丸くなり、調理器具を傷つける事がない。また、調理器具に当たる部分が２箇所を有するので、かき混ぜる際に短時間で炒り玉子を作る事が出来る。【００２７】実施例１と同様に、複数本の第１の線材（図４の１）の広がり角度を等間隔に保持するために、複数本の第１の線材（図４の１）とクロスする様に第２の線材（図４の３）を介して複数の第１の線材（図４の１）を等間隔に固定する。
【符号の説明】
【００２８】１    第１の線材
１ａ  第１の線材の先端（実施例１）
１ｂ  第１の線材の先端（実施例２）
１ｃ  第１の線材の先端（実施例３）
１ｄ  第１の線材の先端（実施例４）
２    持ち手
２ａ  持ち手の先端
３    第２の線材
４    吊り下げ具
【図１】
2011218126.tif 000003
【図２】
2011218126.tif 000004
【図３】
2011218126.tif 000005
【図４】
2011218126.tif 000006
【図５−１】
2011218126.tif 000007
【図５−２】
2011218126.tif 000008
【図５−３】
2011218126.tif 000009
【図５−４】
2011218126.tif 000010